(57)【要約】【課題】柔らかい薬品類でも機械式スイッチにて的確に検出することができるうえ個別収納検出でも薬品類の収納効率が良い薬品類引出収納管理装置を簡便に実現する。【解決手段】上側解放の区画室１６が前後左右に並んだ配置状態で上面に設けられている棚１２と、棚１２を引出可能に支持する筐体１１と、区画室１６それぞれに設けられた薬品類有無検出用の検出部材１７と、区画室１６それぞれに設けられた視認用の取出案内部材２２と、検出部材１７での検出に基づいて薬品類収納状態の管理処理を行うとともに取出指示の入力に応じて取出案内部材２２の何れかを作動させる制御装置２７とを備えた薬品類引出収納管理装置１０において、押下に応動する機械式スイッチを検出部材１７に採用し、そのスイッチの上に受圧面積拡張部材２１を配備する。【選択図】        図１
2010017272.tif 000002
【特許請求の範囲】
【請求項１】
上側解放の区画室が前後左右に並んだ配置状態で上面に設けられている棚と、この棚を引出可能に支持する筐体と、前記区画室それぞれに設けられた薬品類有無検出用の検出部材と、前記区画室それぞれに設けられた視認用の取出案内部材と、前記検出部材での検出に基づいて薬品類収納状態の管理処理を行うとともに取出指示の入力に応じて前記取出案内部材の何れかを作動させる制御装置とを備えた薬品類引出収納管理装置において、前記検出部材が押下に応動する機械式スイッチを具備したものであり、前記スイッチの上に受圧面積拡張部材が配備されていることを特徴とする薬品類引出収納管理装置。
【請求項２】
上側解放の区画室が前後左右に並んだ配置状態で上面に設けられている棚と、この棚を引出可能に支持する筐体と、前記区画室それぞれにおける薬品類の有無を検出する検出部材と、前記区画室それぞれに設けられた視認用の取出案内部材と、前記検出部材での検出に基づいて薬品類収納状態の管理処理を行うとともに取出指示の入力に応じて前記取出案内部材の何れかを作動させる制御装置とを備えた薬品類引出収納管理装置において、前記区画室が深い箱体になっていることを特徴とする薬品類引出収納管理装置。
【発明の詳細な説明】
【技術分野】
【０００１】
この発明は、各種の薬品類を棚上に並べて収納しうる薬品類引出棚装置に関し、詳しくは、棚を引き出せば薬品類を手で出し入れでき、随伴する管理が自動で行われる薬品類引出棚装置に関する。
なお、薬品類には、アンプル・バイアル・造影剤等の注射薬の他、箱・ボトル・袋などに収容された又は未包装の錠剤・散剤・輸液・補液・医療材料などの医薬品や補助薬品も該当する。カテーテルやチューブを細長い袋に密封した医療材料も薬品類に含まれる。
【背景技術】
【０００２】
カテーテル等の医療材料の保管と管理に好適な医材収納管理装置が提供されており（例えば特許文献１参照）、これには、多数の医療材料を並べて吊下げる横架材と、吊下げ箇所それぞれに設けられていて該当箇所における医療材料の吊下げ有無を検出する医材検出部材と、吊下げ箇所それぞれに設けられた視認用の取出案内部材と、前記医材検出部材での検出に基づいて医療材料収納状態の管理処理を行うとともに取出指示の入力に応じて前記取出案内部材の何れかを作動させる制御装置とが備わっている。このような医材収納管理装置の実施に際し、筐体から引出可能な箱体を複数設けるとともに、引出ユニットそれぞれに横架材を組み込んだ態様のものは、薬品類引出収納管理装置と言える。
【０００３】
また、個別収納検出式のものの収納効率を高めた薬品類引出棚装置も提供されており（例えば特許文献２参照）、これには、上側解放の区画室が前後左右に並んだ配置状態で上面に設けられている棚と、この棚を引出可能に支持する筐体と、前記区画室それぞれにおける薬品類の有無を検出する検出部材とが備わっている。しかも、区画室が前下がり状態で傾斜しているので、薬品類の出し入れが遣り易いものとなっている。また、区画室それぞれに設けられた薬品類有無検出用の検出部材には、簡便で而も安価な接触式のメカニカルスイッチや非接触式のフォトディテクタ等が採用されている。このような薬品類引出棚装置の実施に際し、検出部材での検出に基づいて薬品類収納状態の管理処理を行う制御装置を付加したものは、薬品類引出収納管理装置と言える。
【０００４】
【特許文献１】特開２００６−６８３６３号公報
【特許文献２】特開２００８−１１９１４１号公報
【発明の開示】
【発明が解決しようとする課題】
【０００５】
このような薬品類引出収納管理装置にてアンプルやボトル入りのような堅めの塊状薬品類を収納する場合、検出部材には押下に応動する機械式スイッチを採用するのが、簡便であり、コストもかからない。
しかしながら、収納対象の薬品類が水薬ソフトバッグのように塊状ではあっても柔らかい場合、区画室内に薬品類を置いても機械式スイッチが的確に作動しないこともある。
そこで、柔らかい薬品類でも機械式スイッチにて的確に検出することができるうえ個別収納検出でも薬品類の収納効率が良い薬品類引出収納管理装置を簡便に実現することが第１技術課題となる。
【０００６】
また、カテーテルやチューブを袋詰めした細長い医療材料が収納対象の薬品類であるような場合についても、コストアップを避けつつ、収納効率を高めるとともに、薬品類の出し入れが遣り易いよう、改良することが求められる。
そこで、細長い薬品類を容易に手で出し入れできるうえ個別収納検出でも薬品類の収納効率が良い薬品類引出収納管理装置を簡便に実現することが第２技術課題となる。
【課題を解決するための手段】
【０００７】
本発明の薬品類引出収納管理装置は（解決手段１）、上述した第１技術課題を解決するために創案されたものであり、上側解放の区画室が前後左右に並んだ配置状態で上面に設けられている棚と、この棚を引出可能に支持する筐体と、前記区画室それぞれに設けられた薬品類有無検出用の検出部材と、前記区画室それぞれに設けられた視認用の取出案内部材と、前記検出部材での検出に基づいて薬品類収納状態の管理処理を行うとともに取出指示の入力に応じて前記取出案内部材の何れかを作動させる制御装置とを備えた薬品類引出収納管理装置において、前記検出部材が押下に応動する機械式スイッチを具備したものであり、前記スイッチの上に受圧面積拡張部材が配備されていることを特徴とする。
【０００８】
また、本発明の薬品類引出収納管理装置は（解決手段２）、上述した第２技術課題を解決するために創案されたものであり、上側解放の区画室が前後左右に並んだ配置状態で上面に設けられている棚と、この棚を引出可能に支持する筐体と、前記区画室それぞれにおける薬品類の有無を検出する検出部材と、前記区画室それぞれに設けられた視認用の取出案内部材と、前記検出部材での検出に基づいて薬品類収納状態の管理処理を行うとともに取出指示の入力に応じて前記取出案内部材の何れかを作動させる制御装置とを備えた薬品類引出収納管理装置において、前記区画室が深い箱体になっていることを特徴とする。
【発明の効果】
【０００９】
このような本発明の薬品類引出収納管理装置にあっては（解決手段１，２共通）、筐体から引き出せる棚上に上側解放の区画室がマトリクス状配置されているので、薬品類を手で出し入れしやすいうえ、収納効率が良い。さらに、区画室それぞれに薬品類有無検出用の検出部材と視認用の取出案内部材とが設けられていて、個別収納検出が的確になされるばかりか、個別取出案内まで行われて薬品類の出し入れが安直で而も的確になされるものとなっている。
【００１０】
しかも、本発明の薬品類引出収納管理装置にあっては（解決手段１）、検出部材に機械式スイッチを用いる簡便な基本構成が維持されているうえ、スイッチの上に受圧面積拡張部材を配備するという矢張り簡便な改良が施されている。そして、受圧面積が拡張されたことにより、薬品類を区画室に置くと、薬品類が堅ければもちろんのこと、薬品類がソフトバッグのような柔らかいものであっても、塊状であれば、薬品類の重量が受圧面積拡張部材を介して十分にスイッチに掛かるので、スイッチが的確に作動することとなる。
したがって、この発明によれば、柔らかい薬品類でも機械式スイッチにて的確に検出することができるうえ個別収納検出でも薬品類の収納効率が良い薬品類引出収納管理装置を簡便に実現することができるので、第１技術課題が解決されることとなる。
【００１１】
また、本発明の薬品類引出収納管理装置にあっては（解決手段２）、区画室が深い箱体になっているので、薬品類を縦にして箱体に上から差し込めば、細長い薬品類は、区画室内で立ち、上端を区画室から上へ突き出した状態になる。そのため、薬品類を手で出し入れするのが極めて容易なこととなる。
したがって、この発明によれば、細長い薬品類を容易に手で出し入れできるうえ個別収納検出でも薬品類の収納効率が良い薬品類引出収納管理装置を簡便に実現することができるので、第２技術課題が解決されることとなる。
【発明を実施するための最良の形態】
【００１２】
このような本発明の薬品類引出収納管理装置について、これを実施するための具体的な形態を、以下の実施例１〜２により説明する。
図１〜３に示した実施例１は、上述した解決手段１（出願当初の請求項１）を具現化したものであり、図４に示した実施例２は、上述した解決手段２（出願当初の請求項２）を具現化したものである。
なお、それらの図示に際しては、簡明化等のため、ボルト等の締結具や，ヒンジ等の連結具，ドライバといった電子回路の詳細などは図示を割愛し、発明の説明に必要なものや関連するものを中心に図示した。
【実施例１】
【００１３】
本発明の薬品類引出収納管理装置の実施例１について、その具体的な構成を、図面を引用して説明する。図１は、（ａ）が薬品類引出収納管理装置１０の全体外観斜視図、（ｂ）が棚１２の平面図、（ｃ）が棚１２の右側面図、（ｄ）及び（ｅ）が区画室１６と受圧面積拡張部材２１との展開斜視図である。また、図２は、制御装置２７を含む電子回路のブロック図である。さらに、図３は、区画室１６の縦断面の右側面図である。
【００１４】
この薬品類引出収納管理装置１０は（図１（ａ）参照）、一の筐体１１と、多段に設けられた幾つかの棚１２と、棚１２に多数設けられた区画室１６と、区画室１６それぞれに設けられた検出部材１７，受圧面積拡張部材２１，及び取出案内部材２２と、制御装置２７を主体とした電子回路とを具えている。棚１２は引出可能な状態で筐体１１に格納されており、電子回路のうち制御装置２７は筐体１１に内蔵されているが、入出力用のキーボード２３や，マウス２４，ディスプレイ２５は外装されている。
【００１５】
筐体１１は、応用目的や使用環境などに応じて床上に設置されたり机上に載置される箱状体からなり、少なくとも一つの棚１２を大抵は多段配置で複数個の棚１２を水平に且つ引出可能に支持するものである。そのため、筐体１１の前面には棚１２の引出口が形成され、その後方の内側面には引出部材たとえば固定レール等が前後に延設されていて、棚１２を前方へ水平に引き出せるとともに後方へ水平に押し込められるようになっている。
【００１６】
棚１２は（図１（ｂ）参照）、上面に多数の区画室１６の形成された概ね板状の棚板部１３に加えて、例えば、可動レールや転動輪などからなる引出部材１４が棚板部１３の左右に装着され、引き出すときに手を掛けるための把手１５が前面に取り付けられている。区画室１６は、各棚板部１３の上面に多数設けられ、何れの棚板部１３についても前後左右に並んだ状態で平面配置されている。その平面配置状態では、左右には真っ直ぐに並んでいるが、前後には、真っ直ぐでなく、区画室１６のうち前後で隣り合うもの同士については左右の位置がずれている。例えば、図示した配置例の場合、左右に等ピッチで真っ直ぐに並んだ区画室１６の列が前後３列になっているが、最前列と中間列とが左右に半ピッチずれ、中間列と最後列とが左右に半ピッチずれている。
【００１７】
これらの区画室１６は（図１（ｃ）参照）、いずれも、前下がり傾斜しており、区画室１６のうち前後で隣り合うもの同士については前側の区画室１６の後端の高さより後側の区画室１６の前端の高さの方が低い。そのため、棚板部１３の区画室１６の上縁を横から見ると鋸歯状になっている。
区画室１６の傾き具合は、薬品類８がソフトバッグに水薬を封入したものの場合も、注射アンプルのときと同じく、２５゜〜４５゜が使い易い。目線近くに配置された区画室１６は、傾き２５゜〜３０゜のものが使い易いが、足下に配置された区画室１６は、傾き４０゜〜４５゜のものが使い易い。
【００１８】
区画室１６は、薬品類８を一つずつ収容するためのものなので、内面形状が薬品類８の形状に適合したものとなっており、例えば、丸い水薬ソフトバッグを収納するための区画室１６では内面が半円筒状に形成され（図１（ｄ）参照）、角張った水薬ソフトバッグを収納するための区画室１６では内面が角溝状に形成される（図１（ｅ）参照）。どの形状の区画室１６についても（図１（ｃ）〜（ｅ）参照）、区画室１６の薬品類収納部位には検出部材１７の装着孔１６ａが形成され、区画室１６の前端には端面部材１６ｂが設けられ、区画室１６の後端には端面部材が設けられず区画室１６の後端は解放されている。
【００１９】
検出部材１７は（図１（ｂ）〜（ｃ）参照）、簡便で安価な接触式のメカニカルスイッチ（機械式スイッチ）が採用されており、区画室１６それぞれにおける薬品類８の有無を押し下げの有無に対応した例えばオン状態／オフ状態で検出するために、区画室１６の検出部材装着孔１６ａに一つずつ挿着されている。その検出結果は（図２参照）、適宜な信号ケーブルや棚インターフェイス２６を介して制御装置２７へ送出されて、薬品類８の収納状態の自動管理に供されるようになっている。
【００２０】
受圧面積拡張部材２１は（図１（ｄ），（ｅ）参照）、面積が検出部材１７や検出部材装着孔１６ａより広いが区画室１６より狭い板状体からなり、一辺に爪状の小突起２１ａが形成されている。そのため（図１（ｂ），（ｃ），図３（ａ）参照）、小突起２１ａを検出部材装着孔１６ａに差し込んで下辺に掛けてから、受圧面積拡張部材２１を検出部材１７の上に乗せると、受圧面積拡張部材２１が、区画室１６の内底面から少し浮いた状態で静止し、取り外し容易な付設態様で区画室１６の中に収まる。そして、薬品類８を区画室１６に個別収納する際、受圧面積拡張部材２１の上に薬品類８を置いて受圧面積拡張部材２１を押し下げると検出部材１７が作動して例えばオン状態になり（図３（ｂ）参照）、薬品類８を取り除くと検出部材１７が復帰して例えばオフ状態になるとともに随伴して受圧面積拡張部材２１が浮き上がるようになっている（図３（ａ）参照）。
【００２１】
取出案内部材２２は、取出対象の薬品類の置かれている区画室１６を視覚に訴えて案内するために、点灯／消灯の可能な例えば豆電球や発光ダイオード等が採用され、区画室１６との一対一の対応関係が一目瞭然になるところ例えば端面部材１６ｂに突出状態で取り付けられている。そして（図２参照）、その動作状態が、すなわち作動するのか（点灯・オン動作・案内開始）あるいは作動を停止するのか（消灯・オフ動作・案内停止）が、適宜な信号ケーブルや棚インターフェイス２６を介して制御装置２７により制御されるようになっている。なお、各棚１２の露呈面すなわち前面には棚案内部材２２ａが付設されており、棚１２に装備されている取出案内部材２２が一つでも点灯させられたときには、その棚１２の棚案内部材２２ａも点灯させられるようになっている。
【００２２】
制御装置２７は（図２参照）、パーソナルコンピュータ（ＣＰＵ）やマイクロプロセッサ（ＭＰＵ）あるいはシーケンサといったプログラマブルなコントローラからなり、検出部材１７と取出案内部材２２とに対し棚インターフェイス２６を介してスター接続やＬＡＮ（Local Area Network）接続されていて、検出部材１７で検出した結果を取り込むとともに、取出案内部材２２の点灯／消灯を制御しうるようになっている。この制御装置２７には（図１（ａ），図２参照）、画面表示用のディスプレイ２５と、打鍵入力用のキーボード２３と、画面上で指示等を入力するためのマウス２４が、接続されている。
【００２３】
また、制御装置２７には、公知なので詳細な説明や図示は割愛したが（例えば特許文献１参照）、取出案内部材２２での検出に基づいて薬品類の管理処理を行うとともに取出指示の入力に応じて取出案内部材２２の何れかを作動させるためのプログラムとして、取出案内ルーチンと薬品類検出ルーチンと薬品情報設定ルーチンがインストールされている。さらに、ハードディスク等の記憶装置には、薬品類有無データと薬品類情報テーブルとログデータとが、個別ファイルに分かれて或いは適宜なデータベースに統合されて、記憶保持されている。
【００２４】
この実施例１の薬品類引出収納管理装置１０について、その使用態様及び動作を、図面を引用して説明する。図１（ａ）は、棚１２を一つ引き出した薬品類引出収納管理装置１０の外観図である。また、図３は、（ａ），（ｂ）いずれも区画室１６の縦断面の右側面図であり、（ａ）は区画室１６に薬品類８を置く直前の空状態、（ｂ）は区画室１６に薬品類８を置いた収納状態を示している。
【００２５】
薬品類８の出し入れは手作業なので、薬品類引出収納管理装置１０に薬品類８を収納するとき、作業者は、先ず、薬品類引出収納管理装置１０の前方に来て、収納先の棚１２を手前へ引き出す（図１（ａ）参照）。そして、薬品類８の適否を確認し、その薬品類８を空の区画室１６に収納する。区画室１６が前下がりになっているので、容易に薬品類８を区画室１６に収めることができる。薬品類８の収納後は棚１２を押し込んで筐体１１内へ戻しておく。
【００２６】
また、そのような薬品類収納作業に伴って自動遂行される個別収納検出について詳述すると、先ず（図３（ａ）参照）、薬品類８を置かれていない空の区画室１６では、受圧面積拡張部材２１が区画室１６の内底面から少し浮き上がっており、検出部材１７が薬品類無し状態を検出してオフになっている。そして（図３（ｂ）参照）、薬品類８が区画室１６に置かれると、薬品類８によって受圧面積拡張部材２１が押し下げられ更には検出部材１７も押し下げられてオンする。このような検出部材１７の応動によって薬品類８の有無状態の変化が自動検出され、「無」の状態から「有」の状態へ変化したことが制御装置２７に通知されて、該当する管理データが自動で更新される。
【００２７】
さらに、受圧面積拡張部材２１と検出部材１７との協動について詳述すると、検出部材１７は、簡便で安価な市販品なので押下可動部が小さくて、そのままでは、薬品類８が柔らかくて局部変形し易いソクトバッグ入り水薬などには応動しきれないものであるが、この薬品類引出収納管理装置１０にあっては、検出部材１７の上に受圧面積拡張部材２１が乗っていて、薬品類８の重量を受ける受圧面積が拡張されているため、薬品類８を区画室１６に置くと、薬品類８が柔らかい水薬ソフトバッグであっても、薬品類８の重量が受圧面積拡張部材２１を介して伝達されて、十分な押下力が検出部材１７に掛かるので、検出部材１７が確実に応動する。
【００２８】
次に、収納済み薬品類８を薬品類引出収納管理装置１０から取り出すときには、先ず作業者がキーボード２３やマウス２４の操作にて例えば薬剤の種類や作業者の識別情報といった適宜な情報を入力することにより制御装置２７に取出指示を与える。そうすると、制御装置２７の取出案内ルーチンによって、例えば薬品類情報テーブルの検索が行われ更に薬品類有無データの該当項目がチェックされる。そして、薬品類８を取り出せる区画室１６に付設されている取出案内部材２２が点灯するとともに、その区画室１６を装備している棚１２に付設されている棚案内部材２２ａも点灯する。
【００２９】
それを作業者は目視で確認し、薬品類引出収納管理装置１０の前方に位置して、棚案内部材２２ａの点灯した棚１２を手前へ引き出す（図１（ａ）参照）。さらに、引き出した棚１２を見渡して、取出案内部材２２の点灯している区画室１６を探し出す。その区画室１６に収納されている薬品類８が取出対象の物であるが、取出案内部材２２の点灯によって容易かつ迅速に目標の薬品類８を見つけることができる。それから、剤種の適否等を目視で確認したら、その薬品類８を区画室１６から取り出す。区画室１６が前下がりに傾斜しているので、薬品類８の取出も容易かつ的確に行うことができる。薬品類８の取出後は棚１２を押し込んで筐体１１内へ戻しておく。
【００３０】
薬品類８が区画室１６から手動で取り出されると、そこの検出部材１７に乗っているのは受圧面積拡張部材２１だけで軽くなるので、検出部材１７が受圧面積拡張部材２１を押し上げながら元の状態に戻りオフする。このような検出部材１７の復帰動作によって薬品類８の有無状態の変化が自動検出され、「有」の状態から「無」の状態へ変化したことが制御装置２７に通知されて、該当する管理データが自動で更新される。
こうして、薬品類引出収納管理装置１０にあっては、棚１２を引き出せば薬品類８を手で出し入れでき、それに随伴する管理業務と取出案内が自動で行われる。
【実施例２】
【００３１】
本発明の薬品類引出収納管理装置の実施例２について、その具体的な構成を、図面を引用して説明する。図４は、薬品類引出収納管理装置４０全体の外観斜視図、（ｂ）が棚１２の平面図、（ｃ）が棚１２の縦断面の正面図である。
この薬品類引出収納管理装置４０が上述の薬品類引出収納管理装置１０と相違する主な点は、水薬ソフトバッグ等の薬品類８の収納に好適な浅い区画室１６が、深い箱体の区画室４１に、改造された点である。
【００３２】
区画室４１は、カテーテル密封袋のような細長い薬品類９を出し入れ容易に個別収納するのに適するよう、平面視で格子状の区画室画成部材４２にて縦横に区切られて、平面形状が長方形で背が高い立方体状になっている。底面が棚板部１３で塞がれており、上面だけが解放されている。
この区画室画成部材４２の上縁など見易い所に取出案内部材２２が設置され、区画室４１の内底には検出部材１７の代わりに検出部材４３が設置されている。検出部材４３は、薬品類９の有無を検出できれば、検出部材１７と同じメカニカルスイッチでも良く、異なる非接触式のフォトディテクタでも良い。
【００３３】
この実施例２の薬品類引出収納管理装置４０の使用態様及び動作について説明するが、収納対象が柔らかい塊状の薬品類８から細長い薬品類９になったこと及びそれに適合すべく浅い区画室１６が深い区画室４１になったことに伴うこと以外は上述したのと同様なので、繰り返しとなる説明は割愛して、相違点を説明する。
【００３４】
薬品類引出収納管理装置４０では、区画室４１が深い箱体になっているので、細長い薬品類９を区画室４１に収納するときには、棚１２を引き出して空の区画室４１を見つけて収納先の区画室４１を特定したら、薬品類９の一端部を指先等で摘んで薬品類９を縦にし、最下端を区画室４１の上面開口に差し込み、それから手を離すと良い。そうすれば、細長い薬品類９は、大部分が区画室４１に入り込んで、区画室４１の中で立った状態になり、上端部が区画室４１から上へ突き出た状態になる。
【００３５】
また、細長い薬品類９を区画室４１から取り出すときには、取出指示を入力して棚案内部材２２ａや取出案内部材２２を点灯させ、その案内に従って取出先の区画室４１を特定したら、その区画室４１から上へ上端を突き出している薬品類９の上端部を指先等で摘み、薬品類９を引っ張り上げて取り出せば良い。
このように、薬品類引出収納管理装置４０にあっては、細長い薬品類９を手で出し入れするのが極めて容易に行える。そのような個別収納に係る収納管理と取出案内も、薬品類引出収納管理装置１０と同じく、的確に行われる。
【００３６】
［その他］
上記実施例１では、区画室１６の例としてアール型（半円筒状，図１（ｄ））や角型（角溝状，図１（ｅ））を図示したが、これは例示であり、区画室１６はＶ字型や台形型でも良い。
上記実施例２では、区画室４１の平面形状が長方形であったが、区画室４１の平面形状は、正方形でも良く、三角形や六角形など他の多角形でも良く、円や楕円など丸形であっても良い。
【００３７】
また、上記実施例では、制御装置２７が筐体１１に格納されていたが、制御装置２７は筐体１１の外に置かれていても良い。制御装置２７の入出力手段は、上述したディスプレイ２５やキーボード２３等に限られず、タッチパネルや携帯情報端末などでも良い。
さらに、制御装置２７の機能は、データの蓄積や出力に止まらず、有効期限の管理や、在庫管理、薬歴リスト作成、さらには検品まで行うようにしても良い。
また、上述の取出案内機能に加えて収納先の区画室１６の案内まで行うようにしても良い。例えば、薬品類８，９に貼付されたバーコードをバーコードリーダで読みとると、兼用の取出案内部材２２または並設された専用の収納案内部材が点灯等の案内動作を行って、空の区画室１６を分かり易く知らせるようにしても良い。
【図面の簡単な説明】
【００３８】
【図１】本発明の実施例１について、薬品類引出収納管理装置の構造を示し、（ａ）が装置外観の斜視図、（ｂ）が棚の平面図、（ｃ）が棚の右側面図、（ｄ）及び（ｅ）が区画室と受圧面積拡張部材との展開斜視図である。
【図２】制御装置を含む電子回路のブロック図である。
【図３】薬品類引出収納管理装置の動作状態を示し、（ａ），（ｂ）いずれも区画室の縦断面の右側面図である。
【図４】本発明の実施例２について、薬品類引出収納管理装置の構造を示し、（ａ）が装置外観の斜視図、（ｂ）が棚の平面図、（ｃ）が棚の縦断面の正面図である。
【符号の説明】
【００３９】
８…薬品類（水薬ソフトバッグ）、
９…薬品類（カテーテル密封袋）、
１０…薬品類引出収納管理装置、
１１…筐体、１２…棚、１３…棚板部、１４…引出部材、
１５…把手、１６…区画室、１６ａ…検出部材装着孔、
１６ｂ…端面部材、１７…検出部材（機械式スイッチ）、
２１…受圧面積拡張部材、２２…取出案内部材、
２３…キーボード、２４…マウス、２５…ディスプレイ、
２６…棚インターフェイス(I/F）、２７…制御装置(CPU,MPU)、
４０…薬品類引出収納管理装置、
４１…区画室、４２…区画室画成部材、４３…検出部材
【図１】
2010017272.tif 000003
【図２】
2010017272.tif 000004
【図３】
2010017272.tif 000005
【図４】
2010017272.tif 000006